(57)【特許請求の範囲】
【請求項１】
１つ又は複数の検出手段を備え、それらの検出手段で検出された情報に基づき照明器具の点灯状態を制御する照明制御装置と、その照明制御装置の制御値や制御状態を設定する設定手段からなり、照明制御装置は、設定手段からの設定信号を受けて、検出手段の組合せや制御の方法などの制御内容が切り替わる照明システムにおいて、設定手段より送信される信号には、制御値を設定する信号に加えて制御タイプを示す情報が含まれており、照明制御装置は、最初に受信した設定信号に含まれている制御タイプ情報に基づき制御内容が切り替えられることを特徴とする照明システム。
【請求項２】
１つ又は複数の検出手段を備え、それらの検出手段で検出された情報に基づき照明器具の点灯状態を制御する照明制御装置と、その照明制御装置の制御値や制御状態を設定する設定手段からなり、照明制御装置は、設定手段からの設定信号を受けて、検出手段の組合せや制御の方法などの制御内容が切り替わる照明システムにおいて、設定手段より送信される信号には、制御値を設定する信号に加えて検出手段の組合せを指定する情報が含まれており、照明制御装置は、最初に受信した設定信号に含まれている前記情報に基づき制御内容が切り替えられることを特徴とする照明システム。
【請求項３】
最初に受信した設定信号に含まれている制御内容を限定する情報に基づいて制御内容が切り替えられた照明制御装置は、その後は同じ制御内容を限定する情報を含んだ設定信号のみを受け付け、それ以外は受け付けないことを特徴とする請求項１又は２のいずれかに記載の照明システム。
【請求項４】
最初に受信した設定信号に含まれている制御内容を限定する情報に基づいて制御内容が切り替えられた照明制御装置は、設定手段から送信された解除信号を受信すると、それまでの信号受信の制限が解除されることを特徴とする請求項３に記載の照明システム。
【請求項５】
検出手段は、人体検出手段を含むことを特徴とする請求項１〜４のいずれかに記載の照明システム。
【請求項６】
検出手段は、明るさ検出手段を含むことを特徴とする請求項１〜４のいずれかに記載の照明システム。
【請求項７】
照明制御装置は、設定手段より制御タイプを指定する信号を送信することにより制御内容が切り替えられることを特徴とする請求項１〜６のいずれかに記載の照明システム。
【請求項８】
照明制御装置は、設定手段より検出手段の組合せを指定する信号を送信することにより制御内容が切り替えられることを特徴とする請求項１〜６のいずれかに記載の照明システム。
【請求項９】
照明制御装置は、設定手段より検出手段ごとに使用／不使用を指定する信号を送信することにより制御内容が切り替えられることを特徴とする請求項１〜６のいずれかに記載の照明システム。
【請求項１０】
照明制御装置は、各々のセンサ制御設定値のうち、設定手段より制御値を設定された項目に対応する制御のみを行うことにより制御内容が切り替えられることを特徴とする請求項１〜６のいずれかに記載の照明システム。
【請求項１１】
照明制御装置は、各々のセンサ制御設定値のうち、設定手段より不使用に設定された項目には対応しない制御を行うことにより制御内容が切り替えられることを特徴とする請求項１〜６のいずれかに記載の照明システム。
【請求項１２】
照明制御装置は、各々のセンサ制御設定値のうち、設定手段より設定された内容を初期状態に復帰させる機能を有することを特徴とする請求項１０又は１１のいずれかに記載の照明システム。
【請求項１３】
設定手段と照明制御装置間で伝送される信号は無線信号であることを特徴とする請求項１〜１２のいずれかに記載の照明システム。
【請求項１４】
設定手段と照明制御装置間で伝送される信号は有線信号であり、設定手段は照明制御装置に具備されるスイッチであることを特徴とする請求項１〜１２のいずれかに記載の照明システム。
【請求項１５】
設定手段と照明制御装置間で伝送される信号は有線信号であり、設定手段は照明制御装置より遠隔に設置された操作パネルであることを特徴とする請求項１〜１２のいずれかに記載の照明システム。
【発明の詳細な説明】
【０００１】
【発明の属する技術分野】
本発明は、人感センサや明るさセンサを用いて照明制御することにより省エネ効果や利便性を向上させた照明システムに関するものである。
【０００２】
【従来の技術】
従来、人感センサや明るさセンサの組合せにより機種の異なる照明制御装置があった。これらは用途別に機種が異なり、使用する空間の照明要件に応じた機種を選んで設置、配線する必要があった。設置後に照明要件が変わり、例えば人感センサ制御が不要となった場合には、人感センサ制御を切にすることで対応していた。
【０００３】
【発明が解決しようとする課題】
例えば、オフィスなどにセンサを用いた照明制御装置を設置する場合、その室の使用用途によって要求される照明要件が異なり、それに応じて使用するセンサの種類や制御方法が異なる。
【０００４】
従来の技術では、センサの種類や制御方法により照明制御装置の機種が異なっていた為、その室の使用用途に応じて異なる機種を設置する必要があり、設置作業の負担となっていた。また、照明器具等が設置されるときはその室の使用用途等が不明確な場合が多く、使用するセンサの種類や制御方法の限定は困難である。また、その室を使用しているうちに照明要件が変わった場合、今まで使用していなかったセンサによる制御が必要となる場合も考えられる。このような場合は、必要なセンサが具備されていない機種であれば、制御装置の入れ換えなどが必要になるケースも有る。
【０００５】
本発明は上記のような設置作業時の負担を軽減し、実際に室が稼働する時点で用途に応じた制御が容易に設定できるようにしたものである。
【０００６】
【課題を解決するための手段】
本発明の照明システムは、１つ又は複数の検出手段を備え、それらの検出手段で検出された情報に基づき照明器具の点灯状態を制御する照明制御装置と、その照明制御装置の制御値や制御状態を設定する設定手段からなり、照明制御装置は、設定手段からの設定信号を受けて、検出手段の組合せや制御の方法などの制御内容が切り替わる照明システムにおいて、設定手段より送信される信号には、制御値を設定する信号に加えて制御タイプを示す情報が含まれており、照明制御装置は、最初に受信した設定信号に含まれている制御タイプ情報に基づき制御内容が切り替えられることを特徴とするものである。ここで、検出手段としては、人体検出手段や明るさ検出手段を含むものとする。設定手段は制御タイプを指定する信号を送信するか、あるいは、検出手段の組合せを指定する信号を送信することにより照明制御装置の制御内容を切り替えるものとする。
【０００７】
【発明の実施の形態】
（実施形態１）
本発明の実施形態１の照明システムについて図１〜図６を用いて説明する。
まず、図１に示すセンサ器具Ｋは、２種類の明るさセンサＡ１，Ａ２と、２種類の人感センサＮ１，Ｎ２と、これらのセンサの出力に基づいて複数の照明器具Ｋの点灯レベルを調光信号線Ｗを介して制御する制御部Ｃと、赤外線リモコンの受信部Ｒｘを備えており、その制御内容の設定や手動操作のために赤外線リモコンの送信器Ｔｘが設けられている。センサ器具Ｋが具備する人感センサＮ１，Ｎ２は、図２のような検知範囲Ｓ１，Ｓ２を有し、明るさセンサＡ１，Ａ２は図３のような検出性能を有する。
【０００８】
このセンサ器具Ｋを図４のような空間に配置して、図５のように配線する。図４の空間はオフィスのフロアＦを複数のパーティションＰ１，Ｐ２，Ｐ３で仕切ったものである。Ｌ型のパーティションＰ１で囲まれた６台の照明器具Ｌは図６のセンサ器具１で制御され、Ｌ型のパーティションＰ１とＴ型のパーティションＰ２で囲まれた６台の照明器具Ｌは図６のセンサ器具２で制御され、Ｔ型のパーティションＰ２で囲まれた残りの６台の照明器具Ｌは図６のセンサ器具３で制御される。また、Ｌ型およびＴ型のパーティションＰ１，Ｐ２とＩ型のパーティションＰ３で囲まれた照明器具Ｌは、図６のセンサ器具４，５，６により制御される。Ｉ型のパーティションＰ３と壁で囲まれた照明器具Ｌは、図６のセンサ器具７，８，９により制御される。センサ器具１〜６は各６台ずつ、センサ器具７〜９は各３台ずつの照明器具Ｌを制御する。図６の各センサ器具１〜９は、人感センサＮ１の検知範囲Ｓ１を主に照明する照明器具Ｌを制御するように調光信号線Ｗを配線されている。
【０００９】
（制御例１Ａ）
図４の空間の各室の用途が決まったら、各々に必要な照明要件を計画し、設置したセンサ器具Ｋ（＝１〜９）の制御タイプをリモコン送信器Ｔｘにより切り替える。
【００１０】
まず、センサ器具１の制御する空間は、リフレッシュルームとして使用するものと決定し、制御タイプは「省エネ制御」とする。具体的には、人感センサＮ１の検出値より人がいるときは、明るさセンサＡ２によって空間の明るさを略一定（例えば机上面４００ｌｘ程度）に保つフィードバック制御を行い、人がいない時は消灯する。
【００１１】
次に、センサ器具２の制御する空間は、小オフィスとして使用するものと決定し、制御タイプは「標準制御１」とする。具体的には、人感センサＮ１の検出値より人がいるときは明るさセンサＡ２によって空間の明るさを略一定（例えば机上面７５０ｌｘ程度）に保つフィードバック制御を行い、人がいない時は明るさセンサＡ２によって空間の明るさを略一定（例えば机上面３００ｌｘ程度）に保つフィードバック制御をする。
【００１２】
次に、センサ器具３の制御する空間は、会議室として使用するものと決定し、制御タイプは「標準制御１」とする。具体的には、人感センサＮ１又はＮ２の検出値より、いずれかの人感センサが検知しているときは明るさセンサＡ２によって空間の明るさを略一定（例えば机上面５００ｌｘ程度）に保つフィードバック制御を行い、双方が検知していない時は低輝度点灯（例えば２５％点灯）とする。
【００１３】
次に、センサ器具４〜６の制御する空間は、執務室として使用するものと決定し、制御タイプは「標準制御２」とする。具体的には、人感センサＮ１又はＮ２の検出値より、人感センサＮ１のみが検知しているときは、明るさセンサＡ１により空間の明るさを略一定（例えば５００ｌｘ程度）に保つフィードバック制御を行い、少なくとも人感センサＮ２が検知しているときは明るさセンサＡ２によって空間の明るさを略一定（例えば机上面１０００ｌｘ程度）に保つフィードバック制御を行い、双方が検知していない時は消灯若しくは任意の低輝度点灯（例えば２５％点灯）とする。
【００１４】
次に、センサ器具７〜９の制御する空間は、通路として使用するものと決定し、制御タイプは「廊下制御用」とする。具体的には、人感センサＮ２の検出値より、人がいるときは高輝度点灯、いない時は低輝度点灯とする。人がいないとき、明るさセンサＡ１の検出値レべルによって低輝度点灯のレべルが切り替わるように制御する。また、明るさセンサＡ１がある一定の検出レべル以上になると、人がいないときは消灯するように制御する。
【００１５】
（制御例１Ｂ）
図４の空間の各室の用途が決まったら、各々に必要な照明要件を計画し、設置したセンサ器具Ｋ（＝１〜９）の制御タイプをリモコン送信器Ｔｘにより切り替える。
【００１６】
まず、センサ器具１の制御する空間は、リフレッシュルームとして使用するものと決定し、使用するセンサは、「明るさセンサＡ２と人感センサＮ１」とする。制御内容は、制御例１Ａと同じであり、人感センサＮ１の検出値より人がいるときは明るさセンサＡ２によって空間の明るさを略一定（例えば机上面４００ｌｘ程度）に保つフィードバック制御を行い、人がいない時は消灯する。
【００１７】
次に、センサ器具２の制御する空間は、小オフィスとして使用するものと決定し、使用するセンサは、「明るさセンサＡ２と人感センサＮ１」とする。制御内容は、制御例１Ａと同じであり、人感センサＮ１の検出値より人がいるときは明るさセンサＡ２によって空間の明るさを略一定（例えば机上面７５０ｌｘ程度）に保つフィードバック制御を行い、人がいない時は明るさセンサＡ２によって空間の明るさを略一定（例えば机上面３００ｌｘ程度）に保つフィードバック制御をする。
【００１８】
次に、センサ器具３の制御する空間は、会議室として使用するものと決定し、使用するセンサは、「明るさセンサＡ２と人感センサＮ１，Ｎ２」とする。制御内容は、制御例１Ａと同じであり、人感センサＮ１又はＮ２の検出値より、いずれかの人感センサが検知しているときは明るさセンサＡ２によって空間の明るさを略一定（例えば机上面５００ｌｘ程度）に保つフィードバック制御を行い、双方が検知していない時は低輝度点灯（例えば２５％点灯）とする。
【００１９】
次に、センサ器具４〜６の制御する空間は、執務室として使用するものと決定し、使用するセンサは、「明るさセンサＡ１，Ａ２と人感センサＮ１，Ｎ２」とする。制御内容は、制御例１Ａと同じであり、人感センサＮ１又はＮ２の検出値より、人感センサＮ１のみが検知しているときは、明るさセンサＡ１により空間の明るさを略一定（例えば５００ｌｘ程度）に保つフィードバック制御を行い、少なくとも人感センサＮ２が検知しているときは明るさセンサＡ２によって空間の明るさを略一定（例えば机上面１０００ｌｘ程度）に保つフィードバック制御を行い、双方が検知していない時は消灯若しくは任意の低輝度点灯（例えば２５％点灯）とする。
【００２０】
次に、センサ器具７〜９の制御する空間は、通路として使用するものと決定し、使用するセンサは、「明るさセンサＡ１と人感センサＮ２」とする。制御内容は、制御例１Ａと同じであり、人感センサＮ２の検出値より、人がいるときは高輝度点灯、いない時は低輝度点灯とする。人がいないとき、明るさセンサＡ１の検出値レべルによって低輝度点灯のレべルが切り替わるように制御する。また、明るさセンサＡ１がある一定の検出レべル以上になると、人がいないときは消灯するように制御する。
【００２１】
制御例１Ａでは制御タイプを指定するのに対して、制御例１Ｂでは使用するセンサを使用する点が異なる。
【００２２】
（実施形態２）
本発明の実施形態２の照明システムについて図７〜図１０を用いて説明する。図７に示すセンサ器具Ｋは、明るさセンサＡと、人感センサＮと、これらのセンサの出力に基づいて複数の照明器具Ｋの点灯レベルを調光信号線Ｗを介して制御する制御部Ｃと、赤外線リモコンの受信部Ｒｘを備えており、その制御内容の設定や手動操作のために赤外線リモコンの送信器Ｔｘが設けられている。センサ器具Ｋは人感センサＮで検知時と非検知時の点灯モードを切り替えることができ、点滅制御、調光制御ができるほか、明るさセンサＡを用いたフィードバック制御等ができる。
【００２３】
（制御例２Ａ）
このセンサ器具には、表１の設定項目があるが、センサ器具の初期設定値は『常時フル点灯』（タイプＨ）である。各々の使用する設定項目のみを設定するとセンサ器具の制御が切り替わる。表１はその設定項目の組み合わせであり、それらを設定すると制御の種類は表２および表３のようになる。表２および表３における制御内容をそれぞれ図８と図９に示す。上記設定はリモコン送信器Ｔｘによって行うが、タイプＨの状態、つまりセンサ器具の初期設定値『常時フル点灯』に復帰させることもできる。
【００２４】
【表１】
0003812330.tif 000002
【表２】
0003812330.tif 000003
【表３】
0003812330.tif 000004
【００２５】
（制御例２Ｂ）
上述の制御例２Ａでは、タイプ０〜Ｈを指定したが、本制御例２Ｂでは使用するセンサを指定する。ここでもセンサ器具Ｋの初期設定値は『常時フル点灯』である。各々のセンサＡ，Ｎの使用／不使用を設定すると、表４のようにセンサ器具の制御が切り替わる。それらを設定すると制御の種類は表５のようになる。表５における制御内容を図１０に示す。
【００２６】
【表４】
0003812330.tif 000005
【表５】
0003812330.tif 000006
【００２７】
（実施形態３）
本発明の実施形態３の照明システムについて図１１と図１２を用いて説明する。
図１１に示すセンサ器具Ｋは、明るさセンサＡと、人感センサＮと、これらのセンサの出力に基づいて複数の照明器具Ｋの点灯レベルを調光信号線Ｗを介して制御する制御部Ｃと、赤外線リモコンの受信部Ｒｘを備えており、その制御内容の設定や手動操作のために赤外線リモコンの送信器Ｔｘが設けられている。センサ器具Ｋは人感センサＮで検知時と非検知時の点灯モードを切り替えることができ、点滅制御、調光制御ができるほか、明るさセンサＡを用いたフィードバック制御等ができる。
【００２８】
（制御例３Ａ）
センサ器具Ｋの初期状態ではセンサ制御なしの『フル点灯制御』状態になっていて、いかなる送信信号も受信する状態になっている。センサ器具の制御タイプ０専用のリモコンＴｘ０では、いかなる送信信号も、送信される信号のフォーマットの中の『タイプ』の項目には、『制御タイプ０』を示すデータが入った状態で送信される。制御タイプ１専用のリモコン送信器Ｔｘ１では『制御タイプ１』を示すデータが送信される。以下同様にその専用タイプを示すデータが入った状態で送信される。最初に制御タイプ０を示すデータが入った信号を受信すると、センサ器具は『タイプ』のなかに『制御タイプ０』を示すデータが入った信号しか受け付けない。若しくは命令に基づく処理をしない。その後、解除命令を示す信号を受信すると、『タイプ』内のデータによらず、いかなる送信信号も受信する初期状態に戻すことができる。
【００２９】
（制御例３Ｂ）
制御例３Ａの『タイプ』を示すデータ領域は、図１２に示すように、『検出手段の組合せ』を示すものでも良い。すなわち、制御例３Ａでは上述の制御例２Ａのように、制御のタイプを指定するのに対して、制御例３Ｂでは上述の制御例２Ｂのように、複数のセンサの使用／不使用の組み合わせを指定するものである。
【００３０】
【発明の効果】
本発明によれば、照明制御装置は単一機種のみの設置となるため、設置作業の負担が軽減される。また、設置作業前の詳細な用途計画が不要で、実際に室が使用される状態になってから必要とされる照明要件に応じた制御を提供することができる。また、照明要件が変わった場合に、機種を取り替えたりする必要がなく、比較的容易にコストのかからない設定手段で設定内容を変更することができる。
【図面の簡単な説明】
【図１】本発明の実施形態１の照明システムのセンサ器具の構成を示すブロック図である。
【図２】本発明の実施形態１の照明システムのセンサ器具における人感センサの検知範囲を示す説明図である。
【図３】本発明の実施形態１の照明システムのセンサ器具における明るさセンサの検知範囲を示す説明図である。
【図４】本発明の実施形態１の照明システムの設置される空間の一例を示す説明図である。
【図５】本発明の実施形態１の照明システムの配線例を示す説明図である。
【図６】本発明の実施形態１の照明システムの設定例を示す説明図である。
【図７】本発明の実施形態２の照明システムのセンサ器具の構成を示すブロック図である。
【図８】本発明の実施形態２の照明システムの制御タイプ別の動作を示す第１の動作説明図である。
【図９】本発明の実施形態２の照明システムの制御タイプ別の動作を示す第２の動作説明図である。
【図１０】本発明の実施形態２の照明システムの制御タイプ別の動作を示す第３の動作説明図である。
【図１１】本発明の実施形態３の照明システムのセンサ器具の構成と信号フォーマットの一例を示す説明図である。
【図１２】本発明の実施形態３の照明システムの信号フォーマットの他の例を示す説明図である。
【符号の説明】
Ａ１  明るさセンサ
Ａ２  明るさセンサ
Ｎ１  人感センサ
Ｎ２  人感センサ
Ｒｘ  リモコン受信部
Ｔｘ  リモコン送信部
Ｋ    センサ器具
Ｌ    照明器具
Ｗ    調光信号線
【図１】
0003812330.tif 000007
【図２】
0003812330.tif 000008
【図３】
0003812330.tif 000009
【図４】
0003812330.tif 000010
【図５】
0003812330.tif 000011
【図６】
0003812330.tif 000012
【図７】
0003812330.tif 000013
【図８】
0003812330.tif 000014
【図９】
0003812330.tif 000015
【図１０】
0003812330.tif 000016
【図１１】
0003812330.tif 000017
【図１２】
0003812330.tif 000018